(57)【要約】【課題】  極めて簡易なハードウェア及びソフトウェアにより，低コストかつ小型コンパクトに実現するとともに、古い型式の成形機などにも容易かつ確実に後付けできるようにする。【解決手段】  成形機Ｍ１…に有する異常停止に伴って通電の有無が発生する通電ラインＬｅ…に設けることにより、当該通電の有無を検出する検出部２ｘ…と、入力ポートＰ１…を有し、各入力ポートＰ１…を各検出部２ｘ…にそれぞれ接続することにより、通電の有無を検出した検出信号Ｓｄが付与されたなら、検出信号Ｓｄが付与された入力ポートＰ１…及び通電の有無に対応して設定したメッセージＭｅ１…及びメールアドレスＡｄ１…に係わるデータＤｏを出力するデータ処理部３と、このデータＤｏを受け取ることによりメールアドレスＡｄ１…の通信端末Ｃ…に電子メールによりメッセージＭｅ１…を送信するメール送信部４を備える。【選択図】  図１
2005280262.tif 000002
【特許請求の範囲】
【請求項１】
少なくとも連続稼働中の成形機が異常停止したことを検出し、検出結果を通信手段により他の場所の通信端末に送信する成形機の異常監視システムにおいて、一又は二以上の成形機に有する異常停止に伴って通電の有無が発生する一又は二以上の通電ラインに設けることにより、当該通電の有無を検出する一又は二以上の検出部と、一又は二以上の入力ポートを有し、各入力ポートを各検出部にそれぞれ接続することにより、通電の有無を検出した検出信号が付与されたなら、少なくとも検出信号が付与された入力ポート及び通電の有無に対応して設定したメッセージ及びメールアドレスに係わるデータを出力するデータ処理部と、このデータ処理部から出力した前記データを受け取ることにより前記メールアドレスの通信端末に電子メールにより前記メッセージを送信するメール送信部を備えることを特徴とする成形機の異常監視システム。
【請求項２】
前記通電ラインは、成形機に付設して異常停止時に点灯するアラームランプに接続した接続ケーブルであることを特徴とする請求項１記載の成形機の異常監視システム。
【請求項３】
前記通電ラインは、成形機を構成する射出装置，型締装置等の各装置の駆動部に接続した接続ケーブルであることを特徴とする請求項１記載の成形機の異常監視システム。
【請求項４】
前記入力ポートと前記検出部間は、それぞれ開閉スイッチを介して接続することを特徴とする請求項１記載の成形機の異常監視システム。
【請求項５】
前記検出部に接続したアースライン同士を共通接続し、コモンラインを介してデータ処理部のアースポートに接続するとともに、前記コモンラインに、開閉スイッチを接続することを特徴とする請求項１記載の成形機の異常監視システム。
【発明の詳細な説明】
【技術分野】
【０００１】
本発明は、連続稼働中の成形機が異常停止したことを検出し、検出結果を通信手段により他の場所の通信端末に送信する成形機の異常監視システムに関する。
【背景技術】
【０００２】
一般に、射出成形機を連続稼働する自動成形工場では、射出成形機の異常停止を監視することが、生産性を確保して生産計画を達成するための重要な業務となる。したがって、夜間操業や２４時間連続稼働を行う際に管理者が不在となれば、射出成形機が異常停止しても復帰処理できないため、生産計画が達成できなくなるなどの致命的な不具合を招くとともに、他方、管理者が常時監視するには、夜勤や休日出勤が強いられるため、特に、交替要員の確保が困難となる小規模な自動成形工場においては大変な問題となる。
【０００３】
このため、従来においては、遠隔により異常監視できるようにした成形機の監視・管理・制御システム（特開２００２−８６５３１号公報）や射出成形機の異常監視装置（特開２００２−３７０２７１号公報）も知られている。前者の監視・管理・制御システムは、射出成形機，周辺機器，各種検出器，プロセスコントローラ及び上位コントローラとを備え、上位コンピュータは、接続したインターネット網を経由して外部の遠隔の地にある携帯電話と通信を行う通信部を有し、携帯電話との間で各種情報の送受を行うとともに、携帯電話による指示に基づいて射出成形機の監視・管理・制御を行い、これにより射出成形機の稼働・運転を継続するようにしたものである。また、後者の監視装置は、射出成形機のいずれかで発生した異常を異常検出器で検出すると、電子メール送信部から電子メールを送信し、管理者に異常の発生を知らせるようにしたものである。
【特許文献１】特開２００２−８６５３１号
【特許文献２】特開２００２−３７０２７１号
【発明の開示】
【発明が解決しようとする課題】
【０００４】
しかし、成形機の異常を監視する従来の監視システム及び監視装置は、次のような解決すべき課題が存在した。
【０００５】
第一に、成形機とメール送信手段（通信手段）との間に、コンピュータシステム或いはそれと同等の監視装置を介在させる必要があるため、コンピュータによる各種処理を実行できるメリットはあるものの、遠隔場所において必要最小限の情報を知ることができれば十分であるというニーズに対しては、システム全体のハードウェア構成が大掛かりとなり、高コスト化や大型化が無視できない。
【０００６】
第二に、監視装置（監視システム）と各成形機における相互の通信部を通信回線で接続することにより、例えば、５分毎の異常検出周期時間を待って各射出成形機の運転状態を取得する手法により監視を行うなど、監視処理は、コンピュータ処理或いは能動的処理に基づいて行うため、制御手法が複雑となり、ソフトウェアの側面からも高コスト化が無視できない。
【０００７】
第三に、成形機側に通信部等の必要な機能部を設ける必要があるため、特に、通信部等を有していない古い型式の射出成形機などには直接後付けができないなど、取付性及び汎用性に難がある。
【０００８】
本発明は、このような背景技術に存在する課題を解決した成形機の異常監視システムの提供を目的とするものである。
【課題を解決するための手段】
【０００９】
本発明は、上述した課題を解決するため、少なくとも連続稼働中の成形機Ｍ１，Ｍ２，Ｍ３…が異常停止したことを検出し、検出結果を通信手段により他の場所の通信端末Ｃ…に送信する成形機の異常監視システム１を構成するに際して、一又は二以上の成形機Ｍ１…に有する異常停止に伴って通電の有無が発生する一又は二以上の通電ラインＬｅ…に設けることにより、当該通電の有無を検出する一又は二以上の検出部２ｘ，２ｙｉ，２ｙｃ…と、一又は二以上の入力ポートＰ１，Ｐ２，Ｐ３…を有し、各入力ポートＰ１…を各検出部２ｘ，２ｙｉ…にそれぞれ接続することにより、通電の有無を検出した検出信号Ｓｄが付与されたなら、少なくとも検出信号Ｓｄが付与された入力ポートＰ１…及び通電の有無に対応して設定したメッセージＭｅ１，Ｍｅ２…及びメールアドレスＡｄ１，Ａｄ２…に係わるデータＤｏを出力するデータ処理部３と、このデータ処理部３から出力したデータＤｏを受け取ることによりメールアドレスＡｄ１…の通信端末Ｃ…に電子メールによりメッセージＭｅ１…を送信するメール送信部４を備えることを特徴とする。
【００１０】
この場合、発明の好適な態様により、通電ラインＬｅ…として、成形機Ｍ１…に付設して異常停止時に点灯するアラームランプ１１…に接続した接続ケーブル１１ｃ…を用いることができるとともに、成形機Ｍ１…を構成する射出装置Ｍ１ｉ…，型締装置Ｍ１ｃ…等の各装置の駆動部１２…，１３…に接続した接続ケーブル１２ｃ…，１３ｃ…を用いることができる。一方、入力ポートＰ１…と検出部２ｘ，２ｙｉ…間は、それぞれ開閉スイッチＳＷ１，ＳＷ２…を介して接続することができる。また、検出部２ｘ，２ｙｉ…に接続したアースライン同士を共通接続し、コモンラインＬｃを介してデータ処理部３のアースポートＰｅに接続するとともに、コモンラインＬｃに、開閉スイッチＳＷｍを接続することができる。
【発明の効果】
【００１１】
このような構成を有する本発明に係る成形機の異常監視システム１によれば、次のような顕著な効果を奏する。
【００１２】
（１）  遠隔場所において管理者が最も知りたい必要最小限の情報である異常停止した成形機Ｍ１…を特定する情報を、携帯電話等の通信端末Ｃ…により知ることができるという基本的効果に加え、成形機Ｍ１…を特定する情報は、通電の有無に係る検出信号Ｓｄ…とこの検出信号Ｓｄ…が付与された入力ポートＰ１…により容易に得れるため、極めて簡易なハードウェア構成により、低コストかつ小型コンパクトに実現できる。
【００１３】
（２）  通電の有無に係る検出信号Ｓｄ…が付与されることにより、異常停止した成形機Ｍ１…を特定する情報が得れるため、従来のように、監視装置（監視システム）と各成形機における相互の通信部を通信回線で接続し、コンピュータ処理或いは能動的処理による監視は全く不要となり、制御手法の簡素化によりソフトウェアの面からも容易かつ低コストに実施できる。
【００１４】
（３）  好適な態様により、通電ラインＬｅ…として、成形機Ｍ１…に付設して異常停止時に点灯するアラームランプ１１…に接続した接続ケーブル１１ｃ…を用いたり、成形機Ｍ１…を構成する射出装置Ｍ１ｉ…，型締装置Ｍ１ｃ…等の各装置の駆動部１２…，１３…に接続した接続ケーブル１２ｃ…，１３ｃ…を用いれば、特に、通信部等を有していない古い型式の成形機などにも、容易かつ確実に後付けすることができ、取付性及び汎用性に優れる。
【００１５】
（４）  好適な態様により、入力ポートＰ１…と検出部２ｘ，２ｙｉ…間を、それぞれ開閉スイッチＳＷ１，ＳＷ２…を介して接続すれば、電子メールによる送信が必要な射出成形機Ｍ１…のみを任意に選択することができ、さほど重要でない電子メールまで全て送信が行われ、例えば、通信費がアップしてしまうなどの不具合を回避できるとともに、開閉スイッチＳＷ１，ＳＷ２…を追加するという簡単な構成により容易に実現できる。
【００１６】
（５）  好適な態様により、検出部２ｘ，２ｙｉ…に接続したアースライン同士を共通接続し、コモンラインＬｃを介してデータ処理部３のアースポートＰｅに接続するとともに、コモンラインＬｃに、開閉スイッチＳＷｍを接続すれば、休日等であっても管理者が工場に勤務しているような場合には、開閉スイッチＳＷｍをＯＦＦすることにより、全ての射出成形機Ｍ１…に対する電子メールの送信を停止させることができるとともに、単一の開閉スイッチＳＷｍを追加するという簡単な構成により容易に実現できる。
【発明を実施するための最良の形態】
【００１７】
次に、本発明に係る最良の実施形態を挙げ、図面に基づき詳細に説明する。
【００１８】
まず、本実施形態に係る成形機の異常監視システム１の構成について、図１及び図２を参照して説明する。
【００１９】
図中、Ｍ１，Ｍ２，Ｍ３…は、本実施形態に係る異常監視システム１の監視対象となる射出成形機をそれぞれ示す。射出成形機Ｍ１（他の射出成形機Ｍ２…も同じ）は、図２に仮想線で示すように、機台Ｍ１ｂと、この機台Ｍ１ｂ上に設置された射出装置Ｍ１ｉ及び型締装置Ｍ１ｃを備える。射出装置Ｍ１ｉは、加熱筒２１を備え、この加熱筒２１の前端に図に現れない射出ノズルを有するとともに、加熱筒２１の後部には材料を供給するホッパ２２を備える。他方、型締装置Ｍ１ｃには可動型と固定型からなる金型２３を備える。また、機台Ｍ１ｂ上には側面パネル２４を起設するとともに、この側面パネル２４には、内蔵する成形機コントローラに接続したディスプレイ２５及び操作部２６を配設する。
【００２０】
一方、図１において、１は本実施形態に係る異常監視システムを示す。この異常監視システム１は、主要構成として、データ処理部３とこのデータ処理部３に接続したメール送信部４を備える。
【００２１】
データ処理部３は処理部本体３ｍを備える。この処理部本体３ｍは、後述する比較的単純なデータ処理を実行できれば足りるため、マイコン等により構成することができる。この処理部本体３ｍは、複数の入力ポートＰ１，Ｐ２，Ｐ３…（例えば、三十二ポート）を有している。なお、ポート数は任意に増設可能である。また、データ処理部３には、各入力ポートＰ１…に対応した数量の接続端子Ｐ１ｐ，Ｐ１ｎ…を有する接続端子ボード３１が付属する。この場合、一つの入力ポートＰ１…に、一対の接続端子Ｐ１ｐ（正極側）…とＰ１ｎ（負極側）…が対応する。したがって、正極側における各接続端子Ｐ１ｐ…は、それぞれ対応する入力ポートＰ１…に接続するとともに、負極側の接続端子Ｐ１ｎ…は、それぞれ共通接続し、コモンラインＬｃを介して処理部本体３ｍのアースポートに接続する。
【００２２】
さらに、データ処理部３には、少なくとも後述するメッセージＭｅ１，Ｍｅ２…及びメールアドレスＡｄ１，Ａｄ２…を登録するメモリ部３ｄを備える。また、処理部本体３ｍには直流電源部を内蔵する。３２は当該直流電源部に接続する電源コードであり、ＡＣ１００〔Ｖ〕の商用電源に接続する。さらに、３３は、停電用バッテリである。このバッテリ３３は、停電が発生したことを示すメッセージをメール送信できればよいため、容量の小さい小型バッテリで足りる。
【００２３】
他方、メール送信部４は、パケット通信用端末を使用する。このため、メール送信部４は、アンテナ３４を備えており、無線によりパケット通信網Ｎに接続することができる。したがって、メール送信部４から、所定のメールアドレスが設定された携帯電話等の通信端末Ｃ…に対して、パケット通信網Ｎを介して電子メールを送信することができる。なお、３５は設定部である。この設定部３５は、後述するメッセージＭｅ１…の入力を含む各種設定を行うためのものであり、設定を行う時にのみ処理部本体３ｍに接続する。したがって、設定が終了したなら離脱させる。この場合、設定部３５には、パーソナルコンピュータ（パソコン）等を利用することができるが、必要により、専用設定器を利用することもできる。
【００２４】
次に、本実施形態に係る異常監視システム１の使用方法及び動作（機能）について、図１〜図６を参照して説明する。
【００２５】
まず、異常監視システム１の接続方法（接続形態）及び設定方法について、各図を参照しつつ図５に示すフローチャートに従って説明する。
【００２６】
異常監視システム１は、射出成形機Ｍ１…が設置された工場内或いは工場に隣接する管理室等に設置することができる。そして、データ処理部３の入力ポートＰ１，Ｐ２，Ｐ３…、即ち、接続端子ボード３１の各接続端子Ｐ１ｐ，Ｐ１ｎ…に対して、それぞれ対応する射出成形機Ｍ１，Ｍ２，Ｍ３…を接続する（ステップＳ０１）。これにより、射出成形機Ｍ１と入力ポートＰ１、射出成形機Ｍ２と入力ポートＰ２、射出成形機Ｍ３と入力ポートＰ３のように各射出成形機Ｍ１…と各入力ポートＰ１…が対応して接続される。
【００２７】
射出成形機Ｍ１と入力ポートＰ１を接続する際には、図２に示すように、射出成形機Ｍ１に有する異常停止に伴って通電の有無が発生する通電ラインＬｅに、当該通電の有無を検出する検出部２ｘを接続し、この検出部２ｘと入力ポートＰ１を接続する。この場合、通電ラインＬｅには、射出成形機Ｍ１に付設して異常停止時に点灯するアラームランプ１１に接続した接続ケーブル１１ｃを用いることができる。なお、アラームランプ１１は、通常、射出成形機Ｍ１に備える安全カバー２７の上端面等における見やすい部位に取付けられており、このアラームランプ１１は、接続ケーブル１１ｃを介して、上述した成形機コントローラ側に接続される。そして、射出成形機Ｍ１が異常停止した際は、成形機コントローラ側から通電され、赤色或いは黄色により点灯する。したがって、このようなアラームランプ１１に接続した接続ケーブル１１ｃを利用することにより、既設の射出成形機Ｍ１であっても極めて容易に後付けが可能となる。
【００２８】
また、検出部２ｘには、リレー３７を使用し、このリレー３７のリレーコイルを、一方の接続ケーブル１１ｃｐの中途に接続するとともに、リレースイッチの両端は、接続コード３８を介して接続端子Ｐ１ｐ，Ｐ１ｎにそれぞれ接続する。この場合、リレー３７のリレースイッチには、接続ケーブル１１ｃｐに通電が無いときにＯＦＦし、通電が有るときにＯＮするＡ接点を用いる。なお、残りの他の射出成形機Ｍ２…と対応する入力ポートＰ２…も同様に接続を行う。
【００２９】
ところで、通電ラインＬｅには、射出成形機Ｍ１（他の射出成形機Ｍ２…も同じ）を構成する射出装置Ｍ１ｉ，型締装置Ｍ１ｃの各駆動部１２，１３に接続した接続ケーブル１２ｃ，１３ｃを用いてもよい。通常、射出装置Ｍ１ｉには、加熱筒２１内のスクリュを回転又は進退駆動する駆動モータを用いた駆動部１２を備えるとともに、型締装置Ｍ１ｃには、金型２３（可動型）を支持する可動盤を進退駆動する駆動モータを用いた駆動部１３を備えており、各駆動部（駆動モータ）１２，１３は、それぞれ接続ケーブル１２ｃ，１３ｃを介して上述した成形機コントローラ側に接続される。このため、各接続ケーブル１２ｃ，１３ｃにおける一本の接続ケーブル１２ｃｐ，１３ｃｐに、通電の有無を検出する検出部２ｙｉ，２ｙｃをそれぞれ接続する（ステップＳ０２）。検出部２ｙｉ，２ｙｃには、前述した検出部２ｘと同様に、リレー３９ｉ，３９ｃを用いることができる。この場合、接続ケーブル１２ｃｐ，１３ｃｐを切断できないときには、接続ケーブル１２ｃｐ，１３ｃｐに変流器（電流検出トランス）を付設し、この変流器にリレー３９ｉ，３９ｃを接続してもよい。即ち、変流器にリレー３９ｉ，３９ｃのリレーコイルを接続するとともに、リレースイッチの両端を、接続コード４０ｉ，４０ｃを介して接続端子Ｐ１ｐ，Ｐ１ｎ，Ｐ２ｐ，Ｐ２ｎにそれぞれ接続する。したがって、リレー３９ｉ，３９ｃのリレースイッチは、接続ケーブル１２ｃｐ，１３ｃｐに通電が有る正常時にＯＮし、通電が無い異常停止時にＯＦＦするため、後述する接点種別の設定ではＢ接点を選択する。
【００３０】
一方、データ処理部３に対する各種設定を行う。図４は、設定された項目を示したものである。各項目は相互に関連付けることによりメモリ部３ｄに設定（登録）される。例示は、図２に示すように、各射出成形機Ｍ１…におけるアラームランプ１１…の接続ケーブル１１ｃｐ…にリレー３７…を接続した場合を示す。
【００３１】
まず、任意の射出成形機、例えば、射出成形機Ｍ１に対する設定を行う場合には、対応する入力ポートＰ１を指定する（ステップＳ１）。そして、接点種別を設定する（ステップＳ２）。図４はＡ接点を指定した場合を示している。また、Ａ接点がＯＮした際に、ＯＮ入力を有効にするための時間を設定する（ステップＳ３）。この設定は、外乱等により一時的に入力するＯＮ信号をキャンセルするためのものである。したがって、ＯＮ信号が入力した後、設定した時間が経過してもなおＯＮ信号が継続しているときのみ、本来のＯＮ信号、即ち、検出信号Ｓｄとして取り込まれる。なお、前述した駆動部１２，１３に対する通電が無い状態を検出するには、一成形サイクルにおける作動間隔を考慮し、この作動間隔以上の時間を設定することにより、異常停止を有効にすればよい。さらに、再送信の必要があるか否かを設定する（ステップＳ４）。この設定は、電子メールを受け取った際における見落とし等を考慮したものであり、設定した時間間隔により繰り返して電子メールが送信される。
【００３２】
次いで、電子メールにより送信するメッセージの内容を設定する（ステップＳ５）。図４は、異常停止時（停止），復帰時（復帰），再送時（再送）に対応した三つのメッセージＭｅ１，Ｍｅ２，Ｍｅ３を設定した場合を示す。この場合、メッセージＭｅ１は、例えば、「１号機が停止しました」などの内容となる。次いで、電子メールを送信する送信先のメールアドレスを設定する（ステップＳ６）。送信先の数は任意であり、図４は、五つのメールアドレスＡｄ１，Ａｄ２…Ａｄ５を設定した場合を示す。さらに、設定したメールアドレスＡｄ１，Ａｄ２…Ａｄ５に対して、異常停止時（停止），復帰時（復帰），再送時（再送）に対応した送信の有無を設定する（ステップＳ７）。図４は、例えば、第一管理者のメールアドレスＡｄ１には、異常停止時，復帰時，再送時の全てにおいて送信を行い、第二管理者のメールアドレスＡｄ２には、異常停止時と再送時のみ送信を行い、第三管理者のメールアドレスＡｄ３には、異常停止時と復帰時のみ送信を行うように設定した場合を例示する。また、停電送信に係わる設定を行う（ステップＳ８）。この場合、停電が発生した際における送信の有無、停電の検出を有効にするための時間等を設定する。以上、入力ポートＰ１に対する設定を示したが、他の入力ポートＰ２，Ｐ３…に対しても同様の設定を行う。
【００３３】
次に、本実施形態に係る異常監視システム１を用いた際の動作について、図６に示すフローチャートを参照して説明する。
【００３４】
今、自動成形工場が２４時間連続稼働している状態を想定する（ステップＳＡ）。また、工場の管理者は、工場から離れた場所において、直接監視できない状態にある場合を想定する（ステップＵ０）。この状態において、任意の射出成形機、例えば、射出成形機Ｍ１に異常が発生し、稼働が停止したものとする（ステップＳ１１）。これにより、射出成形機Ｍ１では、アラームランプ１１が点灯する（ステップＳ１２）。したがって、接続ケーブル１１ｃｐは通電状態となり、リレー３７のリレースイッチ（Ａ接点）がＯＮする（ステップＳ１３）。リレースイッチのＯＮにより、検出信号Ｓｄが入力ポートＰ１に付与される（ステップＳ１４）。なお、正常運転中は、接続ケーブル１１ｃｐが非通電状態にあるため、リレースイッチはＯＦＦしており、検出信号Ｓｄは発生しない。
【００３５】
一方、検出信号Ｓｄが入力ポートＰ１に付与された後、設定した時間が経過すれば、検出信号Ｓｄが有効となって取り込まれる（ステップＳ１５）。検出信号Ｓｄが入力ポートＰ１に付与されたことにより、射出成形機Ｍ１に異常が発生したことの特定がなされるため、処理部本体３ｍでは、図４に示すように、入力ポートＰ１に入力した検出信号Ｓｄに基づいて異常停止時のメッセージＭｅ１及び送信先のメールアドレスＡｄ１，Ａｄ２…Ａｄ５が自動的に選択される（ステップＳ１６）。そして、メッセージＭｅ１及び送信先のメールアドレスＡｄ１，Ａｄ２…Ａｄ５に係るデータＤｏがデータ処理部３からメール送信部４に送られる。また、メール送信部４は、データＤｏを受け取ることにより、無線によりパケット通信網Ｎに接続し、メールアドレスＡｄ１，Ａｄ２…Ａｄ５が設定された携帯電話等の通信端末Ｃ…に対して、パケット通信網Ｎを介して電子メール（メッセージＭｅ１）を送信する（ステップＳ１７）。
【００３６】
他方、管理者は、携帯電話等の携帯端末Ｃにより送信された電子メールを受信する（ステップＵ１）。これにより、管理者は、電子メールの内容、即ち、メッセージＭｅ１の内容を確認することができる（ステップＵ２）。この場合、メッセージＭｅ１の内容は、例えば、「１号機が停止しました」等となるため、管理者は、１号機の生産計画から、どのように対処するかを判断することができる（ステップＵ３）。特に、生産している成形品の納期が間に合わないような場合には、自ら工場に出向いて必要な復帰処置を行うことができるとともに、自ら行けない場合には、他の管理者に連絡をして対処することもできる（ステップＳＥ）。そして、異常停止した射出成形機Ｍ１に対する処置が終了し、復帰させた際には、アラームランプ１１に対する通電が無くなるため、検出信号Ｓｄも無くなる。この結果、復帰時のメッセージＭｅ２が、設定されたメールアドレスＡｄ１…に電子メールにより送信処理される。この送信処理は、異常停止時の場合と同様に行われる。なお、異常停止時及び復帰時のいずれの場合においても、再送信の設定がある場合には、設定された時間間隔によりメッセージＭｅ３が電子メールにより繰り返して送信される。
【００３７】
よって、このような本実施形態に係る異常監視システム１によれば、遠隔場所において管理者が最も知りたい必要最小限の情報である異常停止した射出成形機Ｍ１…を特定する情報を、携帯電話等の通信端末Ｃ…により知ることができるという基本的効果に加え、射出成形機Ｍ１…を特定する情報は、通電の有無に係る検出信号Ｓｄ…とこの検出信号Ｓｄ…が付与された入力ポートＰ１…により容易に得れるため、極めて簡易なハードウェア構成により、低コストかつ小型コンパクトに実現できる。また、通電の有無に係る検出信号Ｓｄ…が付与されることにより、異常停止した射出成形機Ｍ１…を特定する情報が得れるため、従来のように、監視装置（監視システム）と各成形機における相互の通信部を通信回線で接続し、コンピュータ処理或いは能動的処理による監視は全く不要となり、制御手法の簡素化によりソフトウェアの面からも容易かつ低コストに実施できる。しかも、通電ラインＬｅ…として、射出成形機Ｍ１…に付設して異常停止時に点灯するアラームランプ１１…に接続した接続ケーブル１１ｃ…を用いるとともに、射出成形機Ｍ１…を構成する射出装置Ｍ１ｉ…，型締装置Ｍ１ｃ…等の各装置の駆動部１２…，１３…に接続した接続ケーブル１２ｃ…，１３ｃ…を用いることができるため、特に、通信部等を有していない古い型式の射出成形機などにも、容易かつ確実に後付けすることができ、取付性及び汎用性に優れる。
【００３８】
次に、本発明の変更実施形態に係る異常監視システム１について、図７を参照して説明する。
【００３９】
変更実施形態は、各入力ポートＰ１，Ｐ２…と各接続端子Ｐ１ｐ…を接続する各接続ラインＬｐ１，Ｌｐ２…に、開閉スイッチＳＷ１，ＳＷ２…をそれぞれ直列に接続したものである。これにより、電子メールによる送信が必要な射出成形機Ｍ１…のみを任意に選択することができ、さほど重要でない電子メールまで全て送信が行われ、例えば、通信費がアップしてしまうなどの不具合を回避できるとともに、開閉スイッチＳＷ１，ＳＷ２…を追加するという簡単な構成により容易に実現できる。また、検出部２ｘ，２ｙｉ…に接続したアースライン同士を共通接続し、コモンラインＬｃを介してデータ処理部３のアースポートＰｅに接続するため、コモンラインＬｃに、全体の送信に対する可否を選択する開閉スイッチＳＷｍを接続することができる。これにより、休日等であっても管理者が工場に勤務しているような場合には、主スイッチとなる開閉スイッチＳＷｍをＯＦＦすることにより、全ての射出成形機Ｍ１…に対する電子メールの送信を停止させることができるとともに、単一の開閉スイッチＳＷｍを追加するという簡単な構成により容易に実現できる。なお、変更実施形態におけるその他の構成及び動作は、図１に示した実施形態と基本的に同じとなる。このため、図７において、図１と同一部分には、同一符号を付してその構成を明確にするとともに、その詳細な説明は省略する。
【００４０】
以上、最良の実施形態及び変更実施形態について詳細に説明したが、本発明は、このような実施形態に限定されるものではなく、細部の構成，形状，素材，数量，数値等において、本発明の要旨を逸脱しない範囲で、任意に変更，追加，削除することができる。例えば、通信端末Ｃ…は、例示した携帯電話をはじめ、自宅にあるパソコン，携帯式のノートパソコン，モバイル装置等の各種通信端末Ｃ…を適用できる。また、検出部２ｘ…として、リレー３７…を用いた場合を例示したが、通電ラインＬｅ…における通電の有無を検出できるものであれば、任意の検出手段を利用できる。この場合、可能であれば、通電ラインＬｅ…に直接接続する場合も含まれる。さらに、射出成形機Ｍ１…を例示したが、押出成形機等の他の異なる型式の成形機にも同様に適用することができるとともに、成形機Ｍ１…を構成する装置として、射出装置Ｍ１ｉと型締装置Ｍ１ｃを例示したが、エジェクタやノズルタッチ装置等の他の任意の装置に適用できる。
【図面の簡単な説明】
【００４１】
【図１】本発明の最良の実施形態に係る異常監視システムのブロック構成図、
【図２】同異常監視システムと射出成形機の接続形態を示す回路図、
【図３】同異常監視システムと射出成形機の他の接続形態を示す回路図、
【図４】同異常監視システムにおける設定項目の一覧表、
【図５】同異常監視システムにおける各種項目の設定方法を説明するためのフローチャート、
【図６】同異常監視システムの動作を説明するためのフローチャート、
【図７】本発明の変更実施形態に係る異常監視システムの一部を示すブロック構成図、
【符号の説明】
【００４２】
１        異常監視システム
２ｘ      検出部
２ｙｉ…  検出部
３        データ処理部
４        メール送信部
１１…    アラームランプ
１１ｃ…  接続ケーブル
１２…    駆動部
１２ｃ…  接続ケーブル
Ｍ１…    成形機
Ｍ１ｉ…  射出装置
Ｍ１ｃ…  型締装置
Ｃ…      通信端末
Ｌｅ…    通電ライン
Ｌｃ      コモンライン
Ｐ１…    入力ポート
Ｐｅ      アースポート
Ｓｄ      検出信号
Ｍｅ１…  メッセージ
Ａｄ１…  メールアドレス
Ｄｏ      データ
ＳＷ１…  開閉スイッチ
ＳＷｍ    開閉スイッチ
【図１】
2005280262.tif 000003
【図２】
2005280262.tif 000004
【図３】
2005280262.tif 000005
【図４】
2005280262.tif 000006
【図５】
2005280262.tif 000007
【図６】
2005280262.tif 000008
【図７】
2005280262.tif 000009